(57)【特許請求の範囲】
【請求項１】
主面が対向するように間隙を有して配置され少なくとも−方の基板の内面に配線が形成された一対の基板と、前記一対の基板間の間隙に液晶材料が充填された液晶材料層と、前記間隙において前記液晶材料層を囲みかつ液晶材料注入部となる欠落部を有する接着剤層と、前記液晶材料注入部を封止する紫外線硬化性の封止材料とを備えた液晶表示装置であって、
前記配線が、前記液晶材料注入部において、前記基板の平面視で前記液晶材料層と前記封止材料との界面よりも前記基板の外周端部側に配置されるようにして、前記平面視において、前記界面に重ならないように前記配線が配置され、かつ
前記液晶材料注入部における前記配線の線幅が前記液晶材料注入部の近傍における前記配線の線幅と等しい、液晶表示装置。
【請求項２】
主面が対向するように間隙を有して配置され少なくとも−方の基板の内面に配線が形成された一対の基板と、前記一対の基板間の間隙に液晶材料が充填された液晶材料層と、前記間隙において前記液晶材料層を囲みかつ液晶材料注入部となる欠落部を有する接着剤層と、前記液晶材料注入部を封止する紫外線硬化性の封止材料とを備えた液晶表示装置であって、
前記液晶材料注入部及びその近傍に配置された前記配線が、前記基板の平面視において、前記液晶材料注入部及びその近傍以外の領域に配置された配線よりも前記基板の外周端部側に配置されるようにして、前記平面視において、前記液晶材料層と前記封止材料との界面に重ならないように前記配線が配置された液晶表示装置。
【請求項３】
主面が対向するように間隙を有して配置され少なくとも−方の基板の内面に配線が形成された一対の基板と、前記一対の基板間の間隙に液晶材料が充填された液晶材料層と、前記間隙において前記液晶材料層を囲みかつ液晶材料注入部となる欠落部を有する接着剤層と、前記液晶材料注入部を封止する紫外線硬化性の封止材料とを備えた液晶表示装置であって、
前記配線が、前記液晶材料注入部及びその近傍において分岐されるとともに前記分岐した配線の間に開口部が形成され、前記基板の平面視において、前記開口部内に前記液晶材料層と前記封止材料との界面が位置するようにして、前記平面視において、前記界面に重ならないように前記配線が配置された液晶表示装置。
【発明の詳細な説明】
【技術分野】
【０００１】
本発明は、対向する一対の基板を貼り合わせ、その間に液晶材料を注入し、その注入部を紫外線硬化性の封止材料によって封止することにより形成される液晶表示装置に関する。
【背景技術】
【０００２】
近年、液晶表示装置における表示パネルサイズの大型化に伴い、基板を接着剤等により貼り合わせた接着部等の非表示エリアの縮小化が要求されている。このため、基板の外周端部から表示エリア端部までの距離を狭く（以下、狭額縁化と称する）設計する傾向にある。
【０００３】
図５は、従来の狭額縁化設計された液晶表示装置の表示パネルの模  式的な平面図であり、透明な基板上に形成された配線の表示パネルにおける配置を示している。図５に示すように、液晶表示装置の表示パネルは、導電性の金属膜からなる配線４や、例えば薄膜トランジスタ（ＴＦＴ）からなるスイッチング素子（図示せず）等が内面に配設された基板（以下、これを液晶駆動基板と呼ぶ）１と、該液晶駆動基板１と対向する対向基板（図示せず）との間に、液晶材料層６が挟持された構成を有する。液晶駆動基板１及び対向基板の外周部は、液晶材料注入部２となる領域を除いて、接着剤層５により接着されている。接着剤層５により固定された両基板間の空間に、該液晶材料注入部２を通じて液晶材料が注入され、液晶材料層６が形成される。その後、該液晶材料注入部２に紫外線硬化性の封止材料３が塗布されるとともに、表示パネルの主面側から紫外線を照射して該封止材料３を硬化させる。それにより、液晶材料注入部２を封止する。
【０００４】
かかる表示パネルにおいては、接着剤層５を含むとともに配線４が配置された外周部の領域が、表示に関与しないエリア（非表示エリア）ｃである。また、該非表示エリアｃに囲まれるようにして、表示エリアｂが配置されている。狭額縁化設計液晶表示装置では、表示エリアｂの面積が大きくなるように、非表示エリアｃの面積の低減化が図られる。したがって、配線４が表示パネルの外周端部に近い側に配設されるとともに、液晶材料層６と封止材料３との境界（以下、液晶・封止材料界面と呼ぶ）ａが、表示パネルの外周端部に近い側に配設される。ここでは図示を省略しているが、複数の画素がマトリクス状に配置されて表示エリアｂが構成されており、該画素に対応して、表示エリアｂには網目状に配線が配設されている。そして、例えば配線４は、該表示エリアｂに配設された網目状の配線が切れた場合等において用いられる、所謂、レスキュー配線に相当する。
【発明の開示】
【発明が解決しようとする課題】
【０００５】
上記従来の狭額縁化設計液晶表示装置では、製造工程における材料、設備等が起因して、封止材料３が配線４の配置箇所まで侵入した場合、封止材料３を硬化させるための紫外線照射光が、前記配線４に遮られることがある。特に、液晶材料層６と封止材料３とが接触する液晶・封止材料界面ａに対応する位置に配線４が配置されると、金属材料からなる配線４は紫外線を透過しないため、前記紫外線光照射の際に、配線４により紫外線照射光が遮られる。このため、封止材料３が硬化しないまま液晶材料層６と接触する。それゆえ、液晶材料層６が汚染され、その結果、表示装置において、画像不良の発生、歩留まりの低下、及び信頼性等の品質の劣化につながるという間題がある。
【０００６】
本発明は、前記従来の課題を解決するため、紫外線照射光が導電性の金属膜で形成された配線に遮られることなく、紫外線硬化性の封止材料を硬化することが可能な液晶表示装置、すなわち、画像不良の発生が抑制され、信頼性等の品質の安定した液晶表示装置を提供することを目的とする。
【課題を解決するための手段】
【０００７】
前記目的を達成するため、本発明の液晶表示装置は、主面が対向するように間隙を有して配置され少なくとも一方の基板の内面に金属材料からなる配線が形成された−対の基板と、前記一対の基板間の間隙に液晶材料が充填された液晶材料層と、前記間隙において前記液晶材料層を囲みかつ液晶材料注入部となる欠落部を有する接着剤層と、前記液晶材料注入部を封止する紫外線硬化性の封止材料とを備える液晶表示装置であって、前記配線が、前記液晶材料注入部において、前記基板の平面視で前記液晶材料層と前記封止材料との界面よりも前記基板の外周端部側に配置されるようにして、前記平面視において、前記界面に重ならないように前記配線が配置され、かつ前記液晶材料注入部における前記配線の線幅が前記液晶材料注入部の近傍における前記配線の線幅と等しいものである。
【０００８】
かかる構成によれば、前記平面視において、液晶材料層と封止材料との界面が配線と重ならないため、基板の主面側から紫外線光を照射して封止材料を硬化させる際に、紫外線照射光が配線によって遮られることなく前記界面に照射され、よって、該界面付近の封止材料を確実に硬化させることが可能となる。それゆえ、液晶材料層が封止材料によって汚染されるのを防止することが可能となり、画像不良の発生、歩留りの低下、及び、信頼性等の品質の劣化を防止することが可能となる。また、前記界面よりも基板の外周端部側に配線が配置されているため、配線が表示に影響を及ぼすことはない。したがって、狭額縁化設計が可能である。
【００１１】
また、本発明の液晶表示装置は、主面が対向するように間隙を有して配置され少なくとも−方の基板の内面に配線が形成された一対の基板と、前記一対の基板間の間隙に液晶材料が充填された液晶材料層と、前記間隙において前記液晶材料層を囲みかつ液晶材料注入部となる欠落部を有する接着剤層と、前記液晶材料注入部を封止する紫外線硬化性の封止材料とを備えた液晶表示装置であって、前記液晶材料注入部及びその近傍に配置された前記配線が、前記基板の平面視において、前記液晶材料注入部及びその近傍以外の領域に配置された配線よりも前記基板の外周端部側に配置されるようにして、前記平面視において、前記液晶材料層と前記封止材料との界面に重ならないように前記配線が配置されたものである。
【００１２】
かかる構成によれば、液晶材料注入部及びその近傍に配置された配線が、該領域以外の領域に配置された配線よりも、基板の外周端部側に突出した構成となる。それにより、前記平面視において、前記界面が配線と重なるのを防止することが可能となる。
【００１５】
また、本発明の液晶表示装置は、主面が対向するように間隙を有して配置され少なくとも−方の基板の内面に配線が形成された一対の基板と、前記一対の基板間の間隙に液晶材料が充填された液晶材料層と、前記間隙において前記液晶材料層を囲みかつ液晶材料注入部となる欠落部を有する接着剤層と、前記液晶材料注入部を封止する紫外線硬化性の封止材料とを備えた液晶表示装置であって、前記配線が、前記液晶材料注入部及びその近傍において分岐されるとともに前記分岐した配線の間に開口部が形成され、前記基板の平面視において、前記開口部内に前記界面が位置するようにして、前記平面視において、前記液晶材料層と前記封止材料との界面に重ならないように前記配線が配置されたものである。
【００１６】
かかる構成によれば、液晶材料注入部及びその近傍に配置された配線が分岐して開口部が形成され、かつ、前記界面が該開口部内に位置するため、前記平面視において、前記界面が配線と重なるのを防止することが可能となる。また、もともと表示エリアに影響を与えないように配置されている配線を分岐させるので、分岐した配線が表示に影響を与えることはなく、また、上述の配線を突出させる場合のような突出配線部を配置するためのスペースが不要となる。したがって、狭額縁化に有効である。
【００１７】
本発明の上記目的、他の目的、特徴、及び利点は、添付図面参照の下、以下の好適な実施態様の詳細な説明から明らかにされる。
【発明の効果】
【００１８】
本発明は、以上に説明したような構成を有し、液晶表示装置において、紫外線照射光が導電性の金属膜で形成された配線に遮られることなく、紫外線硬化性の封止材料を硬化することが可能であり、その結果、画像不良の発生が抑制され、信頼性等の品質が安定するという効果を奏する。
【発明を実施するための最良の形態】
【００１９】
以下、本発明の実施の形態について、図面を参照しながら説明する。
【００２０】
（実施の形態１）
図１（ａ）は、本発明の実施の形態１に係る液晶表示装置の表示パネルの液晶材料注入部付近における配線の配置を示す模式的な部分拡大平面図である。
【００２１】
図１（ａ）に示すように、液晶表示装置の表示パネルは、導電性の金属膜からなる配線４Ａが内面に配設された液晶駆動基板１と、該液晶駆動基板１と対向するように配置された対向基板（図示せず）との間に、液晶材料層６が挟持された構成を有する。液晶駆動基板１及び対向基板の外周部は、液晶材料注入部２となる領域を除いて、接着剤層５により接着されて貼り合わされている。そして、両基板間の間隙に、前記液晶材料注入部２を通じて注入された液晶材料からなる液晶材料層６が形成されている。また、液晶材料注入部２は、紫外線硬化性の封止材料３によって封止されている。したがって、液晶材料注入部２には、液晶材料層６と封止材料３との界面、すなわち、液晶・封止材料界面ａが形成されている。
【００２２】
液晶駆動基板１の内面には、Ａｌ等の金属膜で形成され一定の幅を有する配線４Ａが、両基板（図中では液晶駆動基板１）の外周に沿って配設されている。  ここでは、接着剤層５を含み配線４Ａが配置された外周部の領域が、表示に関与しない非表示エリアｃとなる。また、該非表示エリアｃに囲まれるようにして、表示エリアｂが形成されている。したがって、表示エリアｂは、配線４Ａによって取り囲まれている。ここでは図示を省略しているが、表示エリアｂは、複数の画素がマトリクス状に配置されて構成されており、該画素に対応して、表示エリアｂには網目状に配線が配設されている。  表示エリアｂを取り囲むように配設された配線４Ａは、例えば該表示エリアｂに配設された網目状の配線が切れた場合等において用いられる、所謂レスキュー配線に相当する。
【００２３】
ここで、基板（図中では液晶駆動基板１）の平面視において、液晶材料注入部２及びその近傍では、配線４Ａが、液晶・封止材料界面ａよりも基板（図中では液晶駆動基板１）の外周端部側に位置するように配置され、かつ、該領域以外の領域に配置された配線４Ａよりも基板（液晶駆動基板１）の外周端部側に位置するように配置されている。具体的には、液晶・封止材料界面ａの延長線上に位置するように形成された配線４Ａが、液晶注入部２及びその近傍において、基板外周端部側に矩形状に突出するように形成されている。
【００２４】
なお、図１（ａ）においては図示を省略しているが、液晶駆動基板１の内面には、配線４Ａの他に、スイッチング素子として、例えば薄膜トランジスタ（ＴＦＴ）が配設されており、また、層間絶縁膜等も配設されている。このように、ここでは、液晶駆動基板１がＴＦＴアレイ基板に相当し、液晶表示装置はアクテイブマトリクス駆動型の装置である。
【００２５】
上記構成の表示パネルを製造する際には、液晶駆動基板１と対向基板とを間隙を有するように対向して配置させ、両基板の外周部を接着剤層５により貼り合わせる。接着剤層５は、液晶材料注入部２となる領域を除き、基板の外周に沿って表示エリアｂを囲むように形成する。そして、該液晶材料注入部２を通じて両基板間の間隙に液晶材料を注入し、液晶材料層６を形成する。液晶材料層６の形成後、液晶材料注入部２に紫外線硬化性の封止材料３を注入する。さらに、一方または両方の基板の主面側から液晶材料注入部２に紫外線光を照射し、該封止材料３を硬化させる。それにより、液晶材料注入部２を封止する。
【００２６】
かかる構成によれば、液晶材料注入部２において、配線４Ａが液晶．封止材料界面ａよりも基板外周端部側に配置されているため、基板（ここでは液晶駆動基板１）の外面（表示パネルの裏面）から見た場合に、液晶・封止材料界面ａが配線４Ａと重なることはなく、液晶・封止材料界面ａが配線４Ａによって覆われない。このため、一方または両方の基板の主面側から液晶材料注入部２に紫外線光を照射すると、紫外線照射光は、配線４Ａによって遮られることなく液晶・封止材料界面ａに照射される。それゆえ、液晶・封止材料界面ａ付近の封止材料３を確実に硬化させることが可能となる。したがって、未硬化の封止材料３によって液晶材料層６が汚染されるのを防止することが可能となり、よって、液晶表示装置の画像特性及び歩留りの向上が図られるとともに、信頼性に富む品質の安定した液晶表示装置が得られる。
【００２７】
ここで、本実施の形態に係る液晶表示装置は、液晶材料注入部２及びその近傍に配置される配線が、該領域以外の領域に配置される配線よりも基板外周端部側に位置し、かつ、平面視において、液晶・封止材料界面ａよりも基板外周端部側に配置されることにより前記界面ａを覆わない構成であれば、液晶材料注入部２及びその近傍における配線の配置状態は、特に制限されない。
【００２８】
例えば、図１（ｂ）は、本発明の実施の形態１の変形例に係る液晶表示装置の表示パネルの液晶材料注入部付近における配線の配置を示す模式的な部分拡大平面図である。図１（ｂ）に示すように、液晶材料注入部２及びその近傍において、基板外周端部側に三角形状に突出する配線４Ｂであってもよい。あるいは、これ以外であってもよい。
【００２９】
ここで、上記においては、配線４Ａ，４Ｂが液晶・封止材料界面ａ及びその近傍を覆わない（重ならない）ようにするために、前述のように、液晶材料注入部２及びその近傍の配線４Ａ，４Ｂを基板外周端部側に突出させて配置させているが、このように配線４Ａ，４Ｂを基板外周端部側に突出させた場合には、配線４Ａ，４Ｂが表示エリアｂに影響することはない。これに対して、液晶材料注入部２及びその近傍の配線を表示エリアｂ側へ突出させて配置すると、突出部分が表示エリアｂと重なる場合には、表示に影響を与える可能性がある。  したがって、液晶材料注入部２及びその近傍においては、基板外周端部側に配線を突出させるのが好ましく、また、表示エリアｂ側に突出させる場合には、表示に影響を与えないように配設する必要がある。
【００３０】
さらに、本実施の形態の変形例として、図２に示すように、図１（ａ）及び図１（ｂ）のように液晶材料注入部２及びその近傍において部分的に配線が基板外周端部側に突出するのではなく、液晶材料注入部２が配置された側の辺全体にわたって液晶・封止材料界面ａよりも基板外周端部側に配設される構成を有する配線４Ｃであってもよい。
【００３１】
（実施の形態２）
図３（ａ）は、本発明の実施の形態２に係る液晶表示装置の表示パネルの液晶材料注入部付近における配線の配置を示す模式的な部分拡大平面図である。図３（ａ）において、図１（ａ），（ｂ）と同一の符号は、同−又は相当する要素を示している。
【００３２】
本実施の形態の液晶表示装置の表示パネルは、実施の形態１と同様の構成を有するが、以下の点が異なっている。すなわち、図３（ａ）に示すように、本実施の形態では、導電性の金属膜からなる配線４Ｄが、実施の形態１のように液晶材料注入部２及びその近傍において基板外周端部側に突出して配置されておらず、代わりに、該領域の配線４Ｄの線幅が他の領域に配置された配線４Ｄの線幅に比べて細くなっている。このように線幅が細くなった液晶材料注入部２及びその近傍の配線４Ｄは、平面視において、液晶・封止材料界面ａと重ならないように、該界面ａよりも基板外周端部側に配置される。
【００３３】
かかる構成の本実施の形態においては、実施の形態１の場合と同様、液晶・封止材料界面ａに、紫外線照射光が配線４Ｄに遮られることがなく照射されるため、該界面ａ付近の封止材料３を硬化させることができる。したがって、実施の形態１において前述したように、表示装置の画像特性及び歩留りの向上が図られるとともに、信頼性に富む品質の安定した液晶表示装置が得られる。また、本実施の形態では、実施の形態１の場合のように突出した配線を配置するためのスペースが不要なので、表示装置の狭額縁化に、より有効である。
【００３４】
図３（ｂ）は、本発明の実施の形態２の変形例に係る液晶表示装置の表示パネルの液晶材料注入部付近における配線の配置を示す模式的な部分拡大平面図である。図３（ｂ）において、図１（ａ），（ｂ）と同一の符号は、同一又は相当する要素を示している。
【００３５】
本実施の形態の液晶表示装置の表示パネルは、図３（ａ）に示す表示パネルと同様の構成を有するが、以下の点が異なっている。すなわち、図３（ｂ）に示すように、配線４Ｅは、液晶注入部２及びその近傍において線幅が細くなっており、該線幅が細くなった配線４Ｅが平面視において液晶・封止材料界面ａと重ならないように、該界面ａよりも表示エリアｂ側に配置される。
【００３６】
ここで、本実施の形態では、もともと表示に影響を与えないように配置された配線４Ｅの前記領域の線幅を細くするので、液晶材料注入部２において液晶・封止材料界面ａよりも表示エリアｂ側に配線４Ｅが配置されても、実施の形態１の場合のように表示に影響を与えるおそれはない。このように、液晶材料注入部２において、細くなった配線は、基板外周端部側及び表示エリアｂ側のいずれに配置してもよく、また、各側における配置位置は、特に限定されるものではない。
【００３７】
（実施の形態３）
図４は、本発明の実施の形態３に係る液晶表示装置の表示パネルの液晶材料注入部付近における配線の配置を示す模式的な部分拡大平面図である。図４において、図１（ａ），（ｂ）と同一の符号は、同−又は相当する要素を示している。
【００３８】
本実施の形態の液晶表示装置の表示パネルは、実施の形態１と同様の構成を有するが、以下の点が異なっている。すなわち、図４に示すように、本実施の形態では、配線４Ｆが、液晶材料注入部２及びその近傍において、液晶・封止材料界面ａを迂回するように分岐しており、分岐迂回配線たる配線４Ｆａ，４Ｆｂと、該配線４Ｆａ，４Ｆｂ間の矩形状の開口部７とが形成されている。そして、平面視において、該開口部７内に液晶・封止材料界面ａが配置されるように、配線４Ｆａが液晶・封止材料界面ａよりも基板外周端部側に配置され、かつ、配線４Ｆｂが該界面ａよりも表示エリアｂ側に配置されている。分岐した配線４Ｆａ，４Ｆｂは、液晶材料注入部２及びその近傍をへた後、再び合流して１本の配線４Ｆとなる。
【００３９】
ここでは、もともと表示に影響を与えないように配置された配線４Ｆが、液晶注入部２及びその近傍において分岐しているため、分岐した配線４Ｆｂが液晶・封止材料界面ａよりも表示エリアｂ側に配置されていても、実施の形態１の場合のように配線４Ｆｂが表示に影響を与えるおそれはない。
【００４０】
かかる構成の本実施の形態においては、液晶・封止材料界面ａに、開口部７を通じて、紫外線照射光が配線４Ｆ（配線４Ｆａ，４Ｆｂ）に遮られることなく照射される。このため、前記界面ａ付近の封止材料３を硬化させることができる。したがって、実施の形態１において前述したように、表示装置の画像特性及び歩留りの向上が図られるとともに、信頼性に富む品質の安定した液晶表示装置が得られる。また、本実施の形態では、実施の形態１の場合のように突出した配線を配置するためのスペースが不要なので、表示装置の狭額縁化に、より有効である。
【００４１】
分岐した配線の配置、及び、開口部の形状は、特に限定されるものではないが、表示に影響を与えず、かつ、狭額縁化を図れるように設計することが好ましい。また、ここでは配線４Ｆが２本に分岐する場合について説明したが、分岐した配線間に形成される開口部に液晶・封止材料界面ａが配置される構成であれば、配線は２本以上に分岐されてもよい。
【００４２】
上記の実施の形態１〜３においては、液晶駆動基板の内面のみに配線が配設される場合について説明したが、対向基板の内面、あるいは、液晶駆動基板及び対向基板の両方の内面に配線が配設された構成であってもよい。
【００４３】
また、上記実施の形態１〜３においては、スイッチング素子が配設された液晶駆動基板を備えたアクテイブマトリクス駆動型の液晶表示装置について説明したが、本発明は、パッシブマトリクス駆動型の液晶表示装置においても適用可能である。
【００４４】
以上説明したとおり、本発明の液晶表示装置は、表示パネルを構成する基板の内面に導電性の金属膜を配設することにより形成される配線が、基板主面側からの平面視において、液晶材料と紫外線硬化性の封止材料とが接触する界面を覆わないように配置された構成を有する。例えば、配線は、前記界面よりも基板外周端部側に配置されてもよい。また、前記界面及びその近傍領域を避けるように配線が分岐していてもよい。あるいは、前記界面及びその近傍領域の配線の線幅が、それ以外の領域の配線の線幅よりも細く形成されていてもよい。かかる構成によれば、液晶材料注入部に注入した紫外線硬化性の封止材料に紫外線光を照射した際、配線によって遮られることなく前記界面に紫外線光を照射することができる。このため、前記界面において、未硬化の封止材料が液晶材料と接触して液晶材料を汚染することを抑制できる。それゆえ、良好な画像を実現できるとともに、歩留まりの向上が図られ、信頼性等の品質の安定した液晶表示装置を実現することができる。よって、本発明の工業的価値は大である。
【００４５】
上記説明から、当業者にとっては、本発明の多くの改良や他の実施形態が明らかである。従って、上記説明は、例示としての牢解釈されるべきであり丁本発明を実行する最良の態様を当業者に教示する目的で提供されたものである。本発明の精神を逸脱することなく、その構造及び／又は機能の詳細を実質的に変更できる。
【産業上の利用可能性】
【００４６】
以上のように、本発明に係る液晶表示装置は、ＡＶ・ＯＡ・通信機器製品等に用いられる薄型化・小型化が図られた表示装置として有用である。
【図面の簡単な説明】
【００４７】
【図１】本発明の実施の形態１に係る液晶表示装置の表示パネルの液晶材料注入部付近における配線の配置を示す模式的な部分拡大平面図である。
【図２】本発明の実施の形態１の変形例に係る液晶表示装置の表示パネルの液晶材料注入部付近における配線の配置を示す模式的な部分拡大平面図である。
【図３】本発明の実施の形態２に係る液晶表示装置の表示パネルの液晶材料注入部付近における配線の配置を示す模式的な部分拡大平面図である。
【図４】本発明の実施の形態３に係る液晶表示装置の表示パネルの液晶材料注入部付近における配線の配置を示す模式的な部分拡大平面図である。
【図５】従来の狭額縁化設計液晶表示装置の表示パネルの構成を示す模式的な平面図である。
【符号の説明】
【００４８】
１  液晶駆動基板
２  液晶材料注入部
３  封止材料
４Ａ〜４Ｆ  配線
５  接着剤層
６  液晶材料層
【図１】
0003708103.tif 000002
【図２】
0003708103.tif 000003
【図３】
0003708103.tif 000004
【図４】
0003708103.tif 000005
【図５】
0003708103.tif 000006